(57)【要約】  【課題】  柱と横架材との接合状態を強固に補強する補強装置を提供する。  【解決手段】  柱１の表面１ａと、該表面１ａに隣接する、前記柱１と互いに接合した横架材２の表面２ａに、鍔部片９ｂを備え適宜数の突子９を前記柱１と横架材２の長手方向に沿わせて並設する。そして、少くも相対する一対の金属板７，７を備えた補強体３Ａを、前記金属板７，７間に前記突子９を嵌入させて前記柱１と横架材２とが成す隅角部に係合し、該補強体に前記突子９に対応させて嵌挿した一対の挟持杆１４，１４を、該挟持杆１４，１４間に介在する突子９の前記鍔部片９ｂの、前記柱１又は横架材２側の端縁に接触させる。【選択図】    図２
2005299128.tif 000002
【特許請求の範囲】
【請求項１】
柱の表面と、該表面に隣接する、前記柱と互いに接合した横架材の表面に、鍔部片を備えた適宜数の突子を前記柱又は横架材の長手方向に沿わせて並設し、少くとも相対する一対の金属板を備えた補強体を、前記金属板間に前記突子を嵌入させて前記柱と横架材とが成す隅角部に係合し、該補強体に前記各突子に対応させて嵌挿した一対の挟持杆を、該挟持杆間に介在する突子の前記鍔部片の、前記柱又は横架材側の端縁縁部に接触させた、軸組の補強装置。
【発明の詳細な説明】
【技術分野】
【０００１】
本発明は、木造建物の柱と横架材を互いに接合して構成した軸組の補強装置に関するものである。
【背景技術】
【０００２】
柱と横架材とが成す隅角部（コーナー部）に木質の補強体を係合し、該補強体をボルトとナットを用いて前記柱と横架材に緊結した構造のものがある（例えば、特許文献１）。
【０００３】
【特許文献１】特開平１０−１５９１７７号公報
【発明の開示】
【発明が解決しようとする課題】
【０００４】
前記の従来例は、木質の補強体をボルトとナットで柱と横架材に緊結する構成を採用するため、外力はボルトやナットの周辺部に集中し、当該部分から柱等が割裂するおそれがあり、また、経年変化による柱や補強体の素材である木のやせに追従することができず、ナットが緩んだりする等耐久性に問題がある。
【０００５】
本発明は、例えば、従来例の斯様な欠点を回避し、斬新な構造の、軸組の補強装置を提供することを目的として創案したものである。
【課題を解決するための手段】
【０００６】
柱の表面と、該表面に隣接する、前記柱と互いに接合した横架材の表面に、鍔部片を備えた適宜数の突子を前記柱又は横架材の長手方向に沿わせて並設し、少くとも相対する一対の金属板を備えた補強体を、前記金属板間に前記突子を嵌入させて前記柱と横架材とが成す隅角部に係合し、該補強体に前記各突子に対応させて嵌挿した一対の挟持杆を、該挟持杆間に介在する突子の前記鍔部片の、前記柱又は横架材側の端縁縁部に接触させた構成としたものである。
【発明の効果】
【０００７】
本発明によれば、柱と横架材とが成す隅角部に補強体が係合され、しかも、該補強体の金属板を嵌挿した挟持杆と突子との組付け関係によって柱と横架材の接合の補強が成されているから、極めて強固で、しかも、斬新な構造の軸組の補強装置を提供することができる。
【実施例】
【０００８】
図面は本発明に係る軸組の補強装置の実施例を示し、図１は第一実施例の説明図、図２は第一実施例の断面図、図３は図２の横断面図、図４は第一実施例の補強体の斜視図、図５は第二実施例の説明図、図６は第二実施例の断面図、図７は第二実施例の補強体の斜視図である。
【０００９】
第一、第二の各実施例は、柱１，１と該柱１，１上に架設した横架材２を互いに接合して構成した軸組に、補強体３Ａ又は３Ｂを前記柱１と横架材２とが成す隅角部ａに係合して各材１，２に止着したもので、柱１と横架材２は、該柱１と横架材２に互いに相対向するようにして設けた嵌挿穴に接合杆を嵌挿し、該接合杆を、ピンによってそれぞれ柱１と横架材２に止着して互いに接合してあるが、その具体的構成は本件発明と直接的に関係がないので、説明を省略する。従って、柱１と横架材２の接合手段は自由に選択すれば良い。
【第一実施例】
【００１０】
第一実施例は、一対の柱１，１と横架材２とが成す隅角部ａそれぞれに補強体３Ａを係合して補強装置としたもので、各隅角部ａ，ａは同じ補強体３Ａを反転させて用いているだけであるので、その一方側のみについて述べ、他方側は説明を省略することとする。
【００１１】
第一実施例に用いた補強体３Ａは、長手（横）方向の一方の端面を開口して係合溝５を縦設し、該係合溝５の奥壁の両端（補強体３Ａ幅員方向）に係合溝５に連通する係合スリット６，６を設けて構成した直方体形状の木製主体４に、一対の金属板７，７を前記係合溝５と係合スリット６に嵌入するようにして、かつ、金属板７の一部が係合溝５の側壁を構成するように組合わせ、これらに固定杆８を嵌挿して互いに止着して構成したものである。
【００１２】
また、この補強体３Ａの、前記金属板７，７間に存する、木製主体４の中間部分４ａの上面には、前記横架材２側に長手方向に沿って並べて設けた突子９，９に対応する一対の受入穴１０，１０を設け、該受入穴１０に直交するようにして一対の貫通孔１１，１１、１１，１１を側面上部に設け、この一対の貫通孔１１，１１間の間隔と等距離の間隔をおいた一対三組の貫通孔１１，１１、１１，１１、１１，１１を、側面の前記係合溝５開口部側の一端部にすなわち前記長手方向の一端部に、前記木製主体４と金属板７，７を貫通するようにして縦方向に並べて設けてある。
【００１３】
また、前記の通り、互いに接合した前記柱１と横架材２の、互いに隣接する表面（横架材２にあっては下面、柱１にあっては側面）１ａ，２ａには、補強体３Ａの側面に設けた一組一対の貫通孔１１，１１間に存するようにして前記突子９，…を、柱１又は横架材２の長手方向に沿わせて並べて設けてある。
【００１４】
突子９は、前記表面１ａ，２ａ側より柱１又は横架材２を貫通させ、表面１ａ，２ａに相対する他の表面１ｂ，２ｂより突出する先端にナット１２を螺合して緊結したボルト１３の頭部で構成し、表面１ａ，２ａ側の沈み止めと成るフランジ状の規制部片９ｄと先端側の六角頭部９ａとの間に、テーパ状の鍔部片９ｂと主体杆部９ｃを前記鍔部片９ｂを前記六角頭部９ａ側に配して構成したもので、突子９先端方向に漸次拡開してテーパ状とした前記鍔部片９ｂの相対向位置の両縁が接する位置にして前記一組の貫通孔１１，１１は補強体３Ａに設けてあり、また、前記受入穴１０或いは前記金属板７が側壁を構成する前記係合溝５はこの突子９を嵌入できる径幅と奥行幅を備えたものである。
【００１５】
しかして、補強体３Ａの前記係合溝５を設けた端面を柱１の表面１ａに接触させるようにして上昇させると、その上昇方向（柱１の長手方向）に沿わせて突子９，９，９は柱表面１ａに並設してあるので、突子９，９，９は下側のものから補強体３Ａに備えた係合溝５に嵌入され、最上位の突子９が係合溝５に嵌入された時点では、補強体３Ａの上面に設けた受入穴１０に当位する位置に配置した横架材２の表面２ａ側の突子９，９もそれぞれ受入穴１０に嵌入される。
【００１６】
そして、この嵌入状態を保持した状態で各突子９に対応する貫通孔１１，１１に挟持杆１４を嵌挿、打込むと、該挟持杆１４，１４は突子９の鍔部片９ｂの柱１又は横架材２側の端縁に接触した状態で突子９を挟持し、実施例の補強装置を得られるのである。
【００１７】
なお、実施例の突子９は、前記各部９ａ乃至９ｄで構成してあるが、該形状に限定する必要のないことは勿論である。実施例の場合、突子９先端方向に拡開するテーパに挟持杆１４を接触させるようにしたのは、挟持杆１４の貫通孔１１に対する嵌挿、打込みに際し、該挟持杆１４がテーパ（鍔部片９ｂの柱１又は横架材２側の端縁）に圧接して引き寄せ効果を図り、補強体３Ａを柱１等に尚一層強固に接合するためである。
【第二実施例】
【００１８】
第二実施例は、一対の柱１，１間に該横架材２の下側において重なり合うようにして補強体３Ｂを架設して、補強体３Ｂの両端部を柱１と横架材２とが成す隅角部ａに係合して柱１，１と横架材２との接合状態を補強すると共に、前記の通り、横架材２に重ね合わせて柱１，１間に架設することにより当該横架材２の補強をも機能させるようにしたものである。
【００１９】
第二実施例の補強体３Ｂは、横方向に長い長方形板状の一対の外側木材４Ａ，４Ａと同じく長方形板状の内側木材４Ｂとの間に金属板７Ａ，７Ａを介在させて、これらを互いに止着手段（図示省略）で止着し、長手方向（横方向）の両端面をそれぞれ開口して係合溝５を縦設した、直方体形状の積層主体４´で構成したものである。
【００２０】
そして、この積層主体４´の前記内側木材４Ｂの上面には、該内側目材４Ｂを凹欠するようにして、第一実施例と同様に、横架材２側に長手方向に沿って並べて設けた突子９，９，９に対応する受入穴１０，１０，１０を設け、各受入穴１０部には該受入穴１０に直交するようにして一対の貫通孔１１，１１を積層主体４´の側面上部に設け、該一対の貫通孔１１，１１間の間隔と等距離の間隔をおいた一対三組の貫通孔１１，１１、１１，１１、１１，１１を、積層主体４´の側面の両側に、第一実施例と同様に係合溝５に直交するようにして縦方向に並べて設けてある。
【００２１】
また、前記の通り、互いに接合した前記柱１と横架材２の、互いに隣接する表面（横架材２にあっては下面、柱１にあっては側面）１ａ，２ａには、補強体３Ａの側面に設けた一組一対の貫通孔１１，１１間に存するようにして前記突子９，…を、柱１又は横架材２の長手方向に沿わせて並設してある。
【００２２】
しかして、柱１，１間に補強体３Ｂを介在させて該補強体３Ｂを柱１に沿わせて上昇させると、各柱１，１の表面１ａ，１ａにはその上昇方向（柱の長手方向）に沿わせて突子９，９，９を並設してあるので、突子９，９，９は、下側のものから補強体３Ｂに設けた係合溝５に嵌入され、最上位の突子９が係合溝５に嵌入された時点では、補強体３Ｂの上面に設けた受入穴１０に当位する位置に配置した横架材２の表面２ａ側の突子９，９，９もそれぞれ受入穴１０に嵌入され、この嵌入状態を保持した状態で各突子９に対応する貫通孔１１，１１に挟持杆１４を打込むと、該挟持杆１４，１４は突子９の鍔部片９ｂに接触した状態で突子９を挟持し、第二実施例の補強装置を得られるのである。
【００２３】
なお、突子９の構成態様或いは該突子９を係合溝５や受入穴１０との関係等々は、第一実施例と各部材を同一符号で示す通り、同様なのでその説明は省略する。
【００２４】
また、積層主体４´は、前記の通り、内外の木材４Ａ，４Ｂと金属板７Ａを止着手段で止着して構成したものであるが、その止着手段は、螺子釘などの止着杆で止着したり、或いは、接着剤で接着したり、該接着と止着杆による止着手段を併用する等自由に選択すれば良い。
【００２５】
係合溝５や受入穴１０の形成は、内側木材４Ｂを該係合溝５等が形成される長さや形状にし、外側目材４Ａ等と止着する方法が最も簡易に行うことができる。
【００２６】
なおまた、金属板７Ａの係合溝５内の末端に折曲部片７Ａ´を設けてあるのは符号７´で示す第一実施例の折曲部片と同様、補強体３Ｂ（第一実施例は補強体３Ａ）を柱１に組合わせる際、該折曲部片７Ａ´の存在により、補強体３Ｂの上方への移動の案内とすると共に、金属板７Ａそのものを補強するものである。
【００２７】
その他は第一実施例と同様で、矛盾のない限り第一実施例の構成部分をそのまま本実施例に適用して不都合はない。
【図面の簡単な説明】
【００２８】
【図１】第一実施例の説明図。
【図２】第一実施例の断面図。
【図３】図２の横断面図。
【図４】第一実施例の補強体の斜視図。
【図５】第二実施例の説明図。
【図６】第二実施例の断面図。
【図７】第二実施例の補強体の斜視図。
【符号の説明】
【００２９】
１      柱
１ａ    表面
２      横架材
２ａ    表面
３Ａ    補強体
７      金属板
９      突子
９ｂ    鍔部片
１４    挟持杆
【図１】
2005299128.tif 000003
【図２】
2005299128.tif 000004
【図３】
2005299128.tif 000005
【図４】
2005299128.tif 000006
【図５】
2005299128.tif 000007
【図６】
2005299128.tif 000008
【図７】
2005299128.tif 000009